(57)【要約】      （修正有）【課題】時計に組み込まれているコンピューターを活用して、バイオリズムのリズムデータを表示する時計を提供する。【解決手段】バイオリズムの体調、感情、知性の３つのリズムの周期的リズム変動の理論周期日数は、体調のリズムが２３日、感情のリズムが２８日、知性のリズムが３３日である。これらのリズム周期日数は、いずれも人間の誕生日時を基点にして、日、及び時間経過サイクル数４，５，６に連動して変動している。このリズム状態を機器内に組み込んだコンピュータの機能を、時計機構の動作に連動させて、動作の手順により動作させて、数理的にリズムデータ指数数値化することにより、機器を小型化し、バイオリズムの３つのリズム状態情報７，８，９を表示、報知する。【選択図】図１
0003163949.tif 000002
【実用新案登録請求の範囲】
【請求項１】
バイオリズムの３つのリズム、体調（Ｐ）、感情（Ｓ）、知性（Ｉ）のリズム状態情報を時計機器内の時計機構の作動に、機器内に組み込んだコンピューター機構の機能を連動、作動させて、バイオリズムのリズム状態を、先行技術文献（非特許文献  特許出願２００８−２７７３５３号  特許請求の範囲）に基づいて、指数化して、その指数数値を、デジタル表示、アナログ表現画像表示、運針によるアナログ表示する。
【考案の詳細な説明】
【技術の分野】
【０００１】  時計機構の作動、動作に、機器に組み込んだコンピューター機構の機能を連動、作動、動作させて、バイオリズムの周期性のある、体調（Ｐ）、感情（Ｓ）、知性（Ｉ）、この３つのリズムデータを指数化するための記憶、演算、算出、制御、表示を行う腕時計、置時計、及び、関連機器に関する。
【背景の技術】
【０００２】  この技術は、（非特許文献１参照）に基づいて、機器内に組み込んだコンピューターの機構及び機能を作動、動作させて、記憶、演算、算出、制御、表示する機器に関するものである。
【先行技術文献】
【非特許文献】
【０００３】
【非特許文献１】特許出願２００８−２７７３５３号（第１頁特許請求の範囲）
【考案の概要】
【考案が解決しようとする課題】
【０００４】  バイオリズムの３つのリズム、体調（Ｐ）、感情（Ｓ）、知性（Ｉ）、のリズム状態情報を知りたいときに、その情報を知る。その情報を表示して知らせる機器を身近に持ちたい。その要望に応える。バイオリズムの３つのリズムデータを表示する機器、１、腕時計タイプの機器。２、置き時計タイプの機器。３、携帯電話に表示告知する。４、バイオリズムリズムデータ指数化計算機付時計。５、その他の時計機能を持つ機器に機能付加する。等の提供である。
【課題を解決するための手段】
【０００５】  バイオリズムの３つのリズム、体調、感情、知性、の周期的リズム変動の理論周期日数は、体調（Ｐ）に関するリズム周期日数が２３日、感情（Ｓ）に関するリズム周期日数が２８日、知性（Ｉ）に関するリズム周期日数が３３日である。これらのリズム周期日数は、いずれも、人間の誕生日時を基点にして、日、及び時間経過にもとづいて周期変動している。
（非特許文献１参照）にもとづいて、バイオリズムの体調（Ｐ）、感情（Ｓ）、知性（Ｉ）の３つのリズムデータを腕時計、置き時計、携帯電話、バイオリズムリズムデータ指数化計算機付時計、その他の時計機能を持つ機器等の機器内のコンピューター機構の機能を時計機構に連動、作動、動作させて、誕生日以後総日数等の記憶、バイオリズムリズムデータ指数数値の演算、算出、諸数字の更新、処理、制御、表示する。
バイオリズムの３つのリズムデータを指数化して、その指数数値をデジタル数字、アナログ表現画像、また、運針にて表示して、バイオリズム状態情報として、利用する。
【考案の効果】
【０００６】  現今、バイオリズム情報を日常生活の危機管理に使用するためにタイミングよく知ることが、強く要請されるようになってきた。
バイオリズムのリズム状態が、高齢者や子供たちの幼児期に、リズム状態の影響が顕著に現出することである。また、交通事故の発生にも関係があるといわれている。高齢者になり、バイオリズムのリズム状態の変調期に注意が行き届かず、つまずく、転びやすいということがおきる。子供たちの怪我や小事故等もバイオリズムの変調期に注意の行き届かなさが原因であるとも考えられている。また、運動する人たちにおいても、運動時におけるバイオリズム状態の影響が結果を左右するとも言われている。日常生活において、バイオリズムのリズム状態を知り、高調期、低調期を難なく過ごし、周期中、１サイクル内に２度ある変調期には、注意力、情動、思考力、洞察力等の変調に対して、体調の危機管理を行い、細心の注意を促し、良い結果を得ることが大切である。バイオリズムのリズム状態を知るために、バイオリズムのリズム状態情報を表示する機器を身近に持っていることが大切である。
バイオリズムのリズム状態情報を表示する機器を身近に持ち、日常生活の危機管理に、家族やグループ、スポーツチームのバイオリズム管理等、多くの生活場面において使用される。
【考案実施の形態】
【０００７】  バイオリズムの諸データは，機器内に組み込まれているコンピューターが、時計機構の時計情報に連動して機構の機能が作動、動作して、バイオリズムの諸データを演算、算出して、数値化、処理されて、機能の作動により、定められた当該表示箇所に表示される。
バイオリズムの諸データ数値類は、
（イ）誕生日以後総日数（誕生日を第１日として算入する）この誕生日以後総日数が累積数として、日々加算され、記憶、日毎に更新される。この数値がバイオリズムの体調（Ｐ）、感情（Ｓ）、知性（Ｉ）の３つのリズムデータを算出する基礎数値である。
バイオリズムの体調（Ｐ）、感情（Ｓ）、知性（Ｉ）の３つのリズムデータは、基礎数値である誕生日以後総日数を３つの各リズムの理論周期日数数値（体調（Ｐ）が２３、感情（Ｓ）が２８、知性（Ｉ）が３３）で除して求める。
（ロ）体調（Ｐ）のリズムデータ取得日の誕生日以後総日数内のサイクル数。
（ハ）感情（Ｓ）のリズムデータ取得日の誕生日以後総日数内のサイクル数。
（ニ）知性（Ｉ）のリズムデータ取得日の誕生日以後総日数内のサイクル数。
（ホ）体調（Ｐ）のリズムデータ取得日のリズムデータ指数数値。
（ヘ）感情（Ｓ）のリズムデータ取得日のリズムデータ指数数値。
（ト）知性（Ｉ）のリズムデータ取得日のリズムデータ指数数値。の７種類である。
時間情報、月日及び曜日情報とともに、これ等の数値を、（１）デジタル数字で表示する。（２）リズムデータ指数数値をアナログ表現画像にして表示する。（３）電子的機械メカニズムを駆動して、運針によりアナログ表示する。
体調（Ｐ）、感情（Ｓ）、知性（Ｉ）の３つのリズムデータの表示に関しては、アナログ表現画像表示のポイントの設定位置角度、矢印の指向角度等、及び、電子的機械メカニズムの運針による表示の運針の示す角度の設定は、リズムデータの指数数値で演算、算出され、表示される。
表示されるポイント、指向矢印等の運行、及び、運針の進行は、３つの各リズムの定められた１日の進行角速度で運行、進行する。この進行角速度で進み、一巡し、終点＝基点に到達したときに該当するリズムデータのサイクル数に１サイクルの［１］が加算され、新しい数値に更新される。
バイオリズムのリズムデータの表示については、３種類の構成表示パターンがある。
図１により、デジタル数字にての表示について説明する。誕生日以後総日数。体調（Ｐ）の総日数内サイクル数、及び、取得日のリズムデータ指数数値。感情（Ｓ）の総日数内サイクル数、及び、取得日のリズムデータ指数数値。知性（Ｉ）の総日数内サイクル数、及び、取得日のリズムデータ指数数値である。これらの全てをデジタル数字で、定められた当該箇所に表示する。なお、各リズムデータの指数数値が［１００］となり、［０］にきり替わると同時に、総日数内のサイクル数の数値に、１サイクルの［１］が加算され、新しい数値に更新される。
図２、図４、図５により、アナログ表現画像にての表示について説明する。誕生日以後総日数。体調（Ｐ）の総日数内サイクル数。感情（Ｓ）の総日数内サイクル数。知性（Ｉ）の総日数内サイクル数。これらをデジタル数字で定められた当該箇所に表示し、取得日のリズムデータ指数数値のアナログ表現画像表示は、各リズムデータ指数数値を角度化処理して、円周線上にポイント表現画像で表示、また、矢印表現画像等で表示する。
リズムデータ指数数値の角度設定の算出は、次の算式に基づき演算算出される。
各リズムデータ指数数値×３６０÷１００＝指数数値角度設定値［度］である。
アナログ表現画像表示における、画像のポイント、矢印等の進行、変化は、バイオリズムの体調（Ｐ）、感情（Ｓ）、知性（Ｉ）の各リズムの理論周期日数にもとづき、定められた角速度で進行、変化するものとする。
リズムデータのポイント、矢印等の１日の進行、変化の角速度は、
体調（Ｐ）１日の進行、変化の角速度は、３６０／２３［度／日］（１５．６５２度）
感情（Ｓ）１日の進行、変化の角速度は、３６０／２８［度／日］（１２．８５７度）
知性（Ｉ）１日の進行、変化の角速度は、３６０／３３［度／日］（１０．９０９度）である。
この進行、変化の角速度で表示のポイント、矢印等が進行、変化し、終点＝基点に到達したら、該当リズムデータのサイクル数に１サイクルの［１］が加算され、新しい数値に更新される。
図３、図６により、電子的機械メカニズムを駆動して、運針によるアナログ表示について説明する。誕生日以後総日数。体調（Ｐ）の総日数内サイクル数。感情（Ｓ）の総日数内サイクル数。知性（Ｉ）の総日数内サイクル数をデジタル数字で定められた当該箇所に表示する。
文字盤には、円周線を各リズムデータの指数数値を運針が指し示す目盛りが基点の、０から終点の１００までに分割され、任意の単位数で区切られて、印されており、体調（Ｐ）のリズムデータを指し示す針、感情（Ｓ）のリズムデータを指し示す針、知性（Ｉ）のリズムデータを指し示す針の３本の針で構成されている。各針は、定められている角速度で進行して、各々がそれぞれのリズムデータ指数数値を指し示す。定められた角速度で進行する、３つのリズムデータを指し示す運針の１日の進行角速度は、
体調（Ｐ）の運針の進行角速度は、３６０／２３［度／日］（１５．６５２度）
感情（Ｓ）の運針の進行角速度は、３６０／２８［度／日］（１２．８５７度）
知性（Ｉ）の運針の進行角速度は、３６０／３３［度／日］（１０．９０９度）である。
各針が０基点より１回転して、終点＝基点に到達した時点で、該当リズムデータのサイクル数に１サイクルの［１］が加算され、新しい数値に更新される。なお、文字盤には、バイオリズムのリズム状態である高調期の領域、低調安定期の領域、変調期の領域に彩色して、視認しやすい配慮をすることが考えられる。
図９により、バイオリズムのリズム状態とリズムデータ指数数値の関係について説明する。指数数値６〜４５は、高調期であり、指数数値５６〜９５は、低調安定期であり、指数数値４６〜５５、９６〜１００＝０〜５は、１サイクル内に２回ある変調期である。
変調期時には、落ち着いて、細心の注意を怠らず、諸事に対処くださるようにお願い申し上げる次第である。
【実施例】  図７による、バイオリズムリズムデータ指数化計算機付時計については、家族、グループ、スポーツチーム等の管理に、また、自己管理にと使用は、多岐にわたるツールである。
図８による、腕時計タイプについては、時計部とバイオリズムリズムデータ表示部の２枚重ね構造とした腕時計である。
【図面の簡単な説明】
【０００８】
【図１】  表示の例図である。
【図２】  表示の例図である。
【図３】  表示の例図である。
【図４】  表示の例図である。
【図５】  表示の例図である。
【図６】  表示の例図である。
【図７】  実施例  表示の例図である。
【図８】  実施例  斜視図である。
【図９】  リズムデータ指数数値の領域図である。
【符号の説明】
【０００９】１、  時刻
２、  カレンダー
３、  誕生日以後の総日数
４、  体調（Ｐ）の総日数内のサイクル数
５、  感情（Ｓ）の総日数内のサイクル数
６、  知性（Ｉ）の総日数内のサイクル数
７、  体調（Ｐ）の指数化されたリズムデータ
８、  感情（Ｓ）の指数化されたリズムデータ
９、  知性（Ｉ）の指数化されたリズムデータ
１０、時計の長針
２０、時計の短針
１１、体調（Ｐ）のアナログ表現画像のポイント表示
１２、感情（Ｓ）のアナログ表現画像のポイント表示
１３、知性（Ｉ）のアナログ表現画像のポイント表示
１４、体調（Ｐ）のリズムデータのアナログ表示文字盤と運針
１５、感情（Ｓ）のリズムデータのアナログ表示文字盤と運針
１６、知性（Ｉ）のリズムデータのアナログ表示文字盤と運針
１７、体調（Ｐ）のリズムデータのアナログ運針表現画像
１８、感情（Ｓ）のリズムデータのアナログ運針表現画像
１９、知性（Ｉ）のリズムデータのアナログ運針表現画像
２１、バイオリズムの高調期の領域
２２、バイオリズムの低調期の領域
２３、バイオリズムの変調期の領域
２４、バイオリズムのリズムデータの表示箇所
２５、バイオリズム該当者の名前
２６、時計
２７、体調（Ｐ）のリズムデータの運針
２８、感情（Ｓ）のリズムデータの運針
２９、知性（Ｉ）のリズムデータの運針
３０、インジケーター
３１、コメントインジケーター
３２、数字キー
３３、時計部
３４、リズムデータ表示部
【図１】
0003163949.tif 000003
【図２】
0003163949.tif 000004
【図３】
0003163949.tif 000005
【図４】
0003163949.tif 000006
【図５】
0003163949.tif 000007
【図６】
0003163949.tif 000008
【図７】
0003163949.tif 000009
【図８】
0003163949.tif 000010
【図９】
0003163949.tif 000011
【手続補正書】
【提出日】平成21年9月17日(2009.9.17)
【手続補正１】
【補正対象書類名】明細書
【補正対象項目名】全文
【補正方法】変更
【補正の内容】
【考案の詳細な説明】
【技術の分野】
【０００１】  バイオリズムの周期性のある体調、感情、知性の３つのリズムのリズム状態をタイムリーに知得するための機能を時計機能を有する機器に機能付加できるようにした技術である。
【背景の技術】
【０００２】  従来の技術は、バイオリズム曲線図法によるリズム状態の知得であり、バイオリズム曲線を電子的、機械的に描き、それを読解してリズム状態を判断していた。
【先行技術文献】
【非特許文献】
【０００３】
【非特許文献１】  特許出願２００８−２７７３５３号  特許請求の範囲（請求項１）（請求項２）
【考案の概要】
【考案が解決しようとする課題】
【０００４】  時の進行に伴って、周期的に変動しているバイオリズムの体調、感情、知性の３つのリズムの状態情報を知りたいときに知る。それには、そのリズムの状態情報を知らせてくれる機器を腕につける、携帯する、そのようにして身近に持つことのできるような小型の機器でなければならない。▲１▼腕時計タイプの機器。▲２▼置き時計タイプの機器。▲３▼携帯電話に表示、報知する。▲４▼複数の人のバイオリズム状態情報を計算、保有できる、リズムデータ計算機つき時計。▲５▼その他の時計機能を持つ機器に機能を付加することの提供である。
【課題を解決するための手段】
【０００５】  バイオリズムの体調、感情、知性の３つのリズムの周期的リズム変動の理論周期日数は、体調のリズムが２３日、感情のリズムが２８日、知性のリズムが３３日である。これらのリズム周期日数は、いずれも人間の誕生日時を基点にして、日、及び時間経過に連動して変動している。このリズム状態を機器内に組み込んだコンピュータの機能を、時計機構の動作に連動させて、動作の手順により動作させて、数理的にリズムデータ指数数値化することにより、機器を小型化し、バイオリズムの３つのリズム状態情報を表示、報知する。
バイオリズムの体調、感情、知性の３つのリズムデータを腕時計、置き時計、携帯電話、リズムデータ計算機つき時計等の機器内に組み込んだコンピュータの機能を時計機構に連動、動作させて、誕生日以後の総日数の記憶、バイオリズムリズムデータの指数数値の演算、算出、諸数値の更新、処理、制御、表示する。バイオリズムの３つのリズムデータを指数化して、その指数数値をデジタル表示、また、その指数数値を角度化して、アナログ表現画像表示、または、電子的機械メカニズムにより運針にて表示して、バイオリズムリズム状態情報として、知らせ、利用する。
【考案の効果】
【０００６】  バイオリズムの情報を日常生活の危機管理に使用するために知ることが強く要請されるようになってきた。
バイオリズムのリズム状態が、高齢者や子供たちの幼児期に、リズム状態の影響が顕著に現出することであり、また、交通事故の発生にも関係があるといわれている。高齢になり、バイオリズムの変調期に注意が行き届かず、つまずく、転びやすいということが起きる。子供たちの怪我や小事故等もバイオリズムの変調期に注意の行き届かなさが原因であるとも考えられている。運動する人たちにおいても、運動時におけるバイオリズム状態の影響が結果を左右するとも言われている。日常生活において、バイオリズムのリズム状態を知り、高調期、低調期を無難に過ごし、周期中、１サイクル内に２度ある変調期には、注意力、情動、思考力、洞察力等に変調をきたすので、体調の危機管理を行い、細心の注意を促し、無難な過ごし方が大切である。バイオリズムのリズム状態情報を報知する機器を身近に持っていることが大切である。
【考案実施の形態】
【０００７】  バイオリズムの諸データは、時計機器内に組み込まれているコンピュータが、時計機構の時計情報に連動してコンピュータの機能が作動、動作して、バイオリズムの諸データを演算、算出して、数値化、あるいは、角度化されて、機能の動作により、定められた当該表示箇所に表示される。その動作の手順について説明する。
バイオリズムの体調、感情、知性の３つのリズムのリズム状態情報を知得するために、時計機構の作動に、同機器内に組み込んだコンピュータの機能を連動、動作させる。記憶、演算、算出、制御、表示の動作の手順は、▲１▼常時、バイオリズムのリズム状態を知りたい人の誕生年月日を入力する。▲２▼コンピュータが、その人の誕生日から、入力した日までの総日数を演算、算出する。▲３▼その数値を当該箇所に表示する。尚、この数値は、毎日更新されていく。▲４▼更に、記憶部に書き込みされる。この数値は毎日更新される。▲５▼書き込みされた誕生日以後の総日数が取り出され、演算、算出部において、その数値を３つの各リズム理論周期日数数値、体調のリズムは２３、感情のリズムは２８、知性のリズムは３３、で除して、少数点以下第３位までの帯少数数値を演算、算出する。▲６▼この帯少数数値を整数部と純小数部に分離する。▲７▼整数部は各リズムの誕生日以後の総日数内のサイクル数として当該箇所に表示する。この数値は毎日更新されていく。▲８▼純小数部は、四捨五入の演算をして、少数点以下第２位までの純少数数値として、この数値に１００を乗じて、整数数値を算出する。この整数数値がバイオリズムの各リズムのデータ指数数値である。▲９▼この数値をバイオリズムの各リズムのデータ数値として、デジタル表示の当該箇所に表示する。この数値は毎日更新されていく。▲１０▼この各リズムのデータ指数数値が記憶部より取り出され、演算、算出部では、この各リズムデータ指数数値に円の中心点角度の３６０を乗じ、１００で除す演算をして、アナログ表現画像表示の各リズムのデータのポイント位置角度の初期設定値、アナログ表現画像表示の矢印の指向角度の初期設定値、または、電子的機械メカニズムの時計の運針によるアナログ表示の運針角度の初期設定値を算出して、表示する。▲１１▼初期設定されたアナログ表現画像表示のポイント位置角度、アナログ表現画像表示の矢印の指向角度、または、電子的機械メカニズムの時計の運針によるアナログ表示の運針の角度は、時刻の進行に伴って、定められた角速度で動き、角度が変わっていく、１日の角速度の演算、算出は、円の中心角度３６０を各リズムの理論周期日数で除して算出する。
＊  体調のリズムデータによる１日の進行角速度は、３６０／２３［度／日］
＊  感情のリズムデータによる１日の進行角速度は、３６０／２８［度／日］
＊  知性のリズムデータによる１日の進行角速度は、３６０／３３［度／日］
算出された進行角速度は、アナログ表現画像のポイント周回表示のポイントの進行速度であり、アナログ表現画像の矢印の指向角度の表示の周回進行速度であり、または。電子的機械メカニズムの時計の運針アナログ表示の運針の周回進行速度である。▲１２▼この進行角速度で進行して、一巡し、終点＝基点に到達したときに、該当するリズムデータのサイクル数に１サイクルの［１］が加算され、新しい数値に更新される。このようにして、時刻の進行に伴って、変化するバイオリズムの体調、感情、知性の３つのリズム状態を表示する。▲１３▼尚、▲３▼、▲４▼、▲５▼、▲６▼、▲７▼、▲９▼の更新は、１日のうちの定められた時間に行われる。
機器内のコンピュータにおいて、この動作の手順に基づいて、記憶、演算、算出、制御され、バイオリズムの体調、感情、知性の３つのリズムの日々のリズム状態を、デジタル表示、アナログ表現画像ポイント表示、アナログ表現画像矢印表示、または、電子的機械メカニズムの時計の運針によるアナログ表示する時計である。
ポイント表示、矢印表示、運針表示の表示盤面には、基点から、基点である終点までの円周線を１００に分割され任意の単位数で区切られて印されている。バイオリズムのリズム状態とリズムデータ指数数値に付いて説明する。（第５図参照）指数数値６〜４５は高調期である。指数数値５６〜９５は低調安定期である。指数数値４６〜５５，９６〜１００＝０〜５は１サイクル内に２回ある変調期である。文字盤には、バイオリズムのリズム状態である高調期の領域、低調安定期の領域、変調期の領域に彩色して、視認しやすいようにすることが考えられる。
【図面の簡単な説明】
【０００８】
【図１】  デジタル表示の図である。
【図２】  アナログ表現画像ポイント表示の図である。
【図３】  電子的機械メカニズムの運針によるアナログ表示の図である。
【図４】  アナログ表現画像矢印表示の図である。
【図５】  リズムデータ指数数値の盤面領域の図である。
【符号の説明】
【０００９】  １、  時刻。
２、  カレンダー。
３、  誕生日以後の総日数。
４、  Ｐ体調リズムの総日数内のサイクル数。
５、  Ｓ感情リズムの総日数内のサイクル数。
６、  Ｉ知性リズムの総日数内のサイクル数。
７、  Ｐ体調リズムの指数化されたリズムデータ。
８、  Ｓ感情リズムの指数化されたリズムデータ。
９、  Ｉ知性リズムの指数化されたリズムデータ。
１０、時計の長針。
２０、時計の短針。
１１、Ｐ体調リズムのリズムデータのアナログ表現画像のポイント表示。
１２、Ｓ感情リズムのリズムデータのアナログ表現画像のポイント表示。
１３、Ｉ知性リズムのリズムデータのアナログ表現画像のポイント表示。
１７、Ｐ体調リズムのリズムデータのアナログ表現画像の矢印表示。
１８、Ｓ感情リズムのリズムデータのアナログ表現画像の矢印表示。
１９、Ｉ知性リズムのリズムデータのアナログ表現画像の矢印表示。
２１、バイオリズムの高調期の領域。
２２、バイオリズムの低調安定期の領域。
２３、バイオリズムの変調期の領域。
２７、Ｐ体調リズムのリズムデータを指し示す運針。
２８、Ｓ感情リズムのリズムデータを指し示す運針。
２９、Ｉ知性リズムのリズムデータを指し示す運針。
【手続補正書】
【提出日】平成21年9月17日(2009.9.17)
【手続補正１】
【補正対象書類名】図面
【補正対象項目名】全図
【補正方法】変更
【補正の内容】
【図１】
0003163949.tif 000012
【図２】
0003163949.tif 000013
【図３】
0003163949.tif 000014
【図４】
0003163949.tif 000015
【図５】
0003163949.tif 000016
【手続補正書】
【提出日】平成21年9月17日(2009.9.17)
【手続補正１】
【補正対象書類名】実用新案登録請求の範囲
【補正対象項目名】全文
【補正方法】変更
【補正の内容】
【実用新案登録請求の範囲】
【請求項１】
バイオリズムの体調、感情、知性の３つのリズムのリズム状態情報を知得するために、時計機構の作動に、同機器内に組み込んだコンピュータの機能を連動、動作させる。記憶、演算、算出、制御、表示の動作の手順は、▲１▼常時、バイオリズムのリズム状態を知りたい人の誕生年月日を入力する。▲２▼コンピュータが、その人の誕生日から、入力した日までの総日数を演算、算出する。▲３▼その数値を当該箇所に表示する。尚、この数値は、毎日更新されていく。▲４▼更に、記憶部に書き込みされる。この数値は毎日更新される。▲５▼書き込みされた誕生日以後の総日数が取り出され、演算、算出部において、その数値を３つの各リズム理論周期日数数値、体調のリズムは２３、感情のリズムは２８、知性のリズムは３３、で除して、少数点以下第３位までの帯少数数値を演算、算出する。▲６▼この帯少数数値を整数部と純小数部に分離する。▲７▼整数部は各リズムの誕生日以後の総日数内のサイクル数として当該箇所に表示する。この数値は毎日更新されていく。▲８▼純小数部は、四捨五入の演算をして、少数点以下第２位までの純少数数値として、この数値に１００を乗じて、整数数値を算出する。この整数数値がバイオリズムの各リズムのデータ指数数値である。▲９▼この数値をバイオリズムの各リズムのデータ数値として、デジタル表示の当該箇所に表示する。この数値は毎日更新されていく。▲１０▼この各リズムのデータ指数数値が記憶部より取り出され、演算、算出部では、この各リズムデータ指数数値に円の中心点角度の３６０を乗じ、１００で除す演算をして、アナログ表現画像表示の各リズムのデータのポイント位置角度の初期設定値、アナログ表現画像表示の矢印の指向角度の初期設定値、または、電子的機械メカニズムの時計の運針によるアナログ表示の運針角度の初期設定値を算出して、表示する。▲１１▼初期設定されたアナログ表現画像表示のポイント位置角度、アナログ表現画像表示の矢印の指向角度、または、電子的機械メカニズムの時計の運針によるアナログ表示の運針の角度は、時刻の進行に伴って、定められた角速度で動き、角度が変わっていく、１日の角速度の演算、算出は、円の中心角度３６０を各リズムの理論周期日数で除して算出する。
＊  体調のリズムデータによる１日の進行角速度は、３６０／２３［度／日］
＊  感情のリズムデータによる１日の進行角速度は、３６０／２８［度／日］
＊  知性のリズムデータによる１日の進行角速度は、３６０／３３［度／日］
算出された進行角速度は、アナログ表現画像のポイント周回表示のポイントの進行速度であり、アナログ表現画像の矢印の指向角度の表示の周回進行速度であり、または。電子的機械メカニズムの時計の運針アナログ表示の運針の周回進行速度である。▲１２▼この進行角速度で進行して、一巡し、終点＝基点に到達したときに、該当するリズムデータのサイクル数に１サイクルの［１］が加算され、新しい数値に更新される。このようにして、時刻の進行に伴って、変化するバイオリズムの体調、感情、知性の３つのリズム状態を表示する。▲１３▼尚、▲３▼、▲４▼、▲５▼、▲６▼、▲７▼、▲９▼の更新は、１日のうちの定められた時間に行われる。
機器内のコンピュータにおいて、この動作の手順に基づいて、記憶、演算、算出、制御され、バイオリズムの体調、感情、知性の３つのリズムの日々のリズム状態を、デジタル表示、アナログ表現画像ポイント表示、アナログ表現画像矢印表示、または、電子的機械メカニズムの時計の運針によるアナログ表示する時計。
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
バイオリズムの体調、感情、知性の３つのリズム状態情報を知得するにおいて、
（１）接触スイッチ手段により誕生日データの入力をする、
（２）知得当日の年月日を接触スイッチ手段により入力する、
（３）誕生日より知得当日までの総日数を演算手段により算出して初期設定をする、
（４）（３）で算出した数値を表示手段により当該表示箇所に表示する、
（５）（３）で算出した数値を記憶部に記憶する、
（６）記憶した数値を定めた演算手段により３つのリズムの帯小数数値を算出する、
（７）（６）で算出した帯小数数値を演算手段により整数数値と純少数数値にする、
（８）（７）で算出した整数数値を表示手段により当該箇所に表示する、
（９）（７）で算出した純少数数値を演算手段により指数数値とする、
（１０）（９）で算出した指数数値を表示手段により当該箇所に表示する、
（１１）（４）（５）の数値の更新を時計機構の動きに基づいて更新手段により毎日定めた時間に更新する、
（１２）（１１）で更新した（５）の記憶部の数値は（６）（７）（８）（９）に記載した手段により数値が更新されて当該箇所に表示される、
（１３）表示は全てデジタル数字である、
これらの動作をするプログラムをインストールしたマイクロコンピューターを組み込んだ構成からなる時計。
【請求項２】
請求項１に記載した（９）の指数数値に基づき、
（１４）アナログ表現画像表示のポイントの初期設定のポイント位置角度を演算手段により算出してポイント画像の表示手段により表示する、
（１５）表示されたポイント画像はその位置角度を各リズムの理論周期に基づいて算出した１日の角速度で周回進行する、
（１６）ポイントが周回進行し一巡して終点＝基点に到達したときに該当するリズムデータのサイクル数数値が更新される、
請求項１に記載した動作プログラムに（１４）（１５）（１６）の動作プログラムを加えてインストールしたマイクロコンピューターを組み込んだ構成からなる時計。
【請求項３】
請求項１に記載した（９）の指数数値に基づき、
（１７）運針の指し示す指数数値の初期設定をして電子的機械メカニズムにより３つの異なるリズムデータを指し示す３本の運針が周回運行する、
（１８）３本の運針は時間進行に対応して定められた１日の角速度で進行する、
（１９）進行する３本の運針は文字盤に刻されたリズムデータの指数数値を指し示す、
（２０）運針が進行し一巡して終点＝基点に到達したときに該当するリズムのサイクル数数値を更新する、
請求項１に記載した動作プログラムをインストールしたマイクロコンピューターと連動して（１７）（１８）（１９）（２０）の動作をさせる電子的機械メカニズムの装置を組み込んだ構成からなる時計。
【手続補正書】
【提出日】平成22年6月2日(2010.6.2)
【手続補正１】
【補正対象書類名】実用新案登録請求の範囲
【補正対象項目名】全文
【補正方法】変更
【補正の内容】
【実用新案登録請求の範囲】
【請求項１】
バイオリズムの体調、感情、知性の３つのリズム状態情報を知得するために、その情報を指数数値として、デジタル数字で表示する時計において、
（１）情報知得希望者の誕生日データ、知得当日の年月日データを機器内コンピューターに入力する接触スイッチで行う、
（２）（１）で入力された数値により、誕生日より知得当日までの総日数を演算する演算装置、
（３）（２）で算出された数値を記憶する記憶装置、
（４）（２）で算出した数値を初期設定して当該箇所に表示する表示装置、
（５）（３）記憶した数値を読み出し、演算装置において３つのリズムの帯小数数値を算出し、３つのリズムの整数数値と純少数数値とする、
（６）（５）で算出した整数数値は表示装置により当該箇所に表示する、
（７）（５）で算出した純少数数値は演算装置において指数数値として表示装置により当該箇所に表示する、
（８）（３）の記憶された数値を時計機構の動きに基づいて、毎日定めた時間に更新して（５）（６）（７）の数値を機器内コンピューターにインストールしたプログラムでコンピューターの記憶装置、制御装置、演算装置、出力装置がループ動作して処理し、表示装置により当該箇所に表示する、
（９）（５）で算出された整数数値はバイオリズムの３つのリズムの各々のサイクル数であり、（７）で算出された指数数値は当日のバイオリズムの３つのリズムの各々の状態を示す数値である、この数値でその日のバイオリズムの状態を知得する、
これらの動作をするプログラムをインストールして、記憶装置、制御装置、演算装置、出力装置、表示装置を具備したマイクロコンピューターを機器内に組み込んだ構成からなる時計。
【請求項２】
請求項１に記載した（７）の指数数値に基づき、
（１０）アナログ表現画像表示のポイントの初期設定のポイント位置角度を演算装置において算出してポイント画像の表示装置が作動して当該箇所に表示する、
（１１）表示されたポイント画像はその位置角度を各リズムの理論周期に基づいて機器内コンピューターの演算装置が算出した１日の角速度で周回進行する、
（１２）ポイントが周回進行し一巡して終点＝基点に到達したときに該当するリズムデータのサイクル数数値が更新される、
請求項１に記載した前記動作プログラムに（１０）（１１）（１２）の動作プログラムを加えてインストールしたマイクロコンピユーターを組み込んだ構成からなる請求項１に記載の時計。
【請求項３】
請求項１に記載した（７）の指数数値に基づき、
（１３）運針の指し示す指数数値の初期設定をして電子的機械メカニズムにより３つの異なるリズムデータを指し示す３本の運針が周回運行する、
（１４）３本の運針は時間進行に基づいて定められた１日の角速度で進行する、
（１５）進行する３本の運針は文字盤に刻されたリズムデータの指数数値を指し示す、
（１６）運針が進行し一巡して終点＝基点に到達したときに該当するリズムのサイクル数数値を更新する、
請求項１に記載した前記動作プログラムをインストールしたマイクロコンピューターの記憶装置、制御装置、演算装置、出力装置により電子的機械メカニズムの連動装置を作動させ（１３）（１４）（１５）（１６）の動作をさせる電子的機械メカニズムの装置を組み込んだ構成からなる請求項１に記載の時計。
【手続補正書】
【提出日】平成22年8月19日(2010.8.19)
【手続補正１】
【補正対象書類名】実用新案登録請求の範囲
【補正対象項目名】全文
【補正方法】変更
【補正の内容】
【実用新案登録請求の範囲】
【請求項１】
バイオリズムの体調、感情、知性の３つのリズム状態情報を知得するために、その情報を指数数値として、デジタル数字で表示する時計において、
（１）  情報知得希望者の誕生日データ、知得当日の年月日データを機器内コンピューターに入力する接触スイッチで行う、
（２）  （１）で入力された数値により、誕生日より知得当日までの総日数を演算する演算装置、
（３）  （２）で算出された数値を記憶する記憶装置、
（４）  （２）で算出した数値を初期設定して当該箇所に表示する表示装置、
（５）  （３）記憶した数値を読み出し、演算装置において３つのリズムの帯小数数値を算出し、３つのリズムの整数数値と純少数数値とする、
（６）  （５）で算出した整数数値は表示装置により当該箇所に表示する、
（７）  （５）で算出した純少数数値は演算装置において指数数値として表示装置により当該箇所に表示する、
（８）  （３）の記憶された数値を時計機構の動きに基づいて、毎日定めた時間に更新して（５）（６）（７）の数値を機器内コンピューターにインストールしたプログラムでコンピューターの記憶装置、制御装置、演算装置、出力装置がループ動作して処理し、表示装置により当該箇所に表示する、
（９）  （５）で算出された整数数値はバイオリズムの３つのリズムの各々のサイクル数であり、（７）で算出された指数数値は当日のバイオリズムの３つのリズムの各々の状態を示す数値である、この数値でその日のバイオリズムの状態を知得する、
これらの動作をするプログラムをインストールして、記憶装置、制御装置、演算装置、出力装置、表示装置を具備したマイクロコンピューターを機器内に組み込んだ構成からなる時計。
【請求項２】
前記指数数値に基づき、
（１０）  アナログ表現画像表示のポイントの初期設定のポイント位置角度を演算装置において算出してポイント画像の表示装置が作動して当該箇所に表示する、
（１１）  表示されたポイント画像はその位置角度を各リズムの理論周期に基づいて機器内コンピューターの演算装置が算出した１日の角速度で周回進行する、
（１２）  ポイントが周回進行し一巡して終点＝基点に到達したときに該当するリズムデータのサイクル数数値が更新される、
前記動作プログラムに（１０）（１１）（１２）の動作プログラムを加えてインストールしたマイクロコンピューターを組み込んだ構成からなる請求項１に記載の時計。
【請求項３】
前記指数数値に基づき、
（１３）  運針の指し示す指数数値の初期設定をして電子的機械メカニズムにより３つの異なるリズムデータを指し示す３本の運針が周回運行する、
（１４）  ３本の運針は時間進行に基づいて定められた１日の角速度で進行する、
（１５）  進行する３本の運針は文字盤に刻されたリズムデータの指数数値を指し示す、
（１６）  運針が進行し一巡して終点＝基点に到達したときに該当するリズムのサイクル数数値を更新する、
前記動作プログラムをインストールしたマイクロコンピューターの記憶装置、制御装置、演算装置、出力装置により電子的機械メカニズムの連動装置を作動させ（１３）（１４）（１５）（１６）の動作をさせる電子的機械メカニズムの装置を組み込んだ構成からなる請求項１に記載の時計。